(57)【要約】　　　（修正有）【課題】書店等においてレジカウンターから離れた場所にミニブックを平置きで陳列して販売するのが難しい。【解決手段】ケースブック１２と、該ケースブック内に収納された複数のミニブック１４とからなり、該ケースブックは、収納枠板１６と、該収納枠板を挟んで対向する一対の表紙板１８と、該一対の表紙板の縁部を連結する背部２０とからなり、該収納枠板の一方の面には該一対の表紙板のいずれか一方が積層固着され、該収納枠体の他方の面側には収納凹部が形成され、該ミニブックの一方の表紙には該ミニブックの内容を示す絵が表わされ、該ミニブックは該収納凹部に収納されていることを特徴とする。前記ミニブックの他方の表紙には部分絵が表わされ、他方の表紙を表側にして各ミニブックを前記ケースブックの所定の収納凹部に嵌合させると所定の絵が形成されるようにしてもよい。【選択図】　　図１
0003099862.tif 000002
【実用新案登録請求の範囲】
【請求項１】
　ケースブックと、該ケースブック内に収納された複数のミニブックとからなり、該ケースブックは、収納枠板と、該収納枠板を挟んで対向する一対の表紙板と、該一対の表紙板の縁部を連結する背部とからなり、該収納枠板の一方の面には該一対の表紙板のいずれか一方が積層固着され、該収納枠体の他方の面側には収納凹部が形成され、該ミニブックの一方の表紙には該ミニブックの内容を示す絵が表わされ、該ミニブックは該収納凹部に収納されていることを特徴とするトレーディングカードブック。
【請求項２】
　前記ミニブックの他方の表紙には部分絵が表わされ、他方の表紙を表側にした状態で各ミニブックを前記ケースブックの所定の収納凹部に嵌合させると所定の絵が形成されることを特徴とする請求項１に記載のトレーディングカードブック。
【考案の詳細な説明】
【技術分野】
【０００１】
　本考案は、複数の小さな写真集（ミニブック）をテーマ毎に本のような収納ケースに平面的に収納して形成したミニブック全集（トレーディングカードブック）に関するものである。
【背景技術】
【０００２】
　アイドル、ペット、占い、アニメ、戦闘機、車・・・・等をテーマにしたミニブック（サイズ：１０ｃｍ×７ｃｍ程度）は、現在、カードと同じようにマニアの間で収集の対象になっており、かなりの数量が売られているが、その潜在需要はまだまだ有り、書店に大々的に置けばもっと売れると思われる。
【０００３】
　しかし、書店で、小さな商品は万引きの対象となり易いので、ミニブックの陳列場所は店員の目の届くレジカウンター廻りに限られるが、レジカウンター廻りのスペースは限られているので、ミニブックをここに大量に割り込ませるのは難しい。
【０００４】
　また、書店や自宅において、ミニブックを通常のサイズの本棚に並べておいた場合、本の上のスペースが空いてしまい、本棚のスペースが有効に使用されず、もったいないし、見たところも悪い。
【０００５】
　また、ミニブックのコレクションを自分で見たり、持ち歩いたり、他人に見せる場合、コレクションを一つのテーマ毎に全体的に見たり、持ち歩いたり、見せたりしたいが、そのようなニーズを満足させるためには、ミニブックのコレクションの中からミニブックを一つのテーマ毎に取り出したり、並べたりしなければならず、面倒である。そして、ミニブックの収集数が多くなればなるほど、このような作業は更に繁雑且つ面倒になる。
【考案の開示】
【考案が解決しようとする課題】
【０００６】
　この考案が解決しようとする問題点は、書店等においてレジカウンターから離れた場所にミニブックを平置きで陳列して販売し難い点である。
【課題を解決するための手段】
【０００７】
　本考案にかかるトレーディングカードブックは、ケースブックと、該ケースブック内に収納された複数のミニブックとからなり、該ケースブックは、収納枠板と、該収納枠板を挟んで対向する一対の表紙板と、該一対の表紙板の縁部を連結する背部とからなり、該収納枠板の一方の面には該一対の表紙板のいずれか一方が積層固着され、該収納枠体の他方の面側には収納凹部が形成され、該ミニブックの一方の表紙には該ミニブックの内容を示す絵が表わされ、該ミニブックは該収納凹部に収納されていることを特徴とする。
【０００８】
　ここで、前記ミニブックの他方の表紙には部分絵が表わされ、他方の表紙を表側にして各ミニブックを前記ケースブックの所定の収納凹部に嵌合させると所定の絵が形成されるようにしてもよい。
【考案の効果】
【０００９】
　本考案のトレーディングカードブックは、レジカウンターから離れた場所に平置きでミニブックを置いておくことができるので、一つの書店におけるミニブックの取り扱い数量を増加させたり、ミニブックの取り扱い書店数を増加させたりすることができ、従って、ミニブックの売り上げを大幅に増加させることができるという利点がある。
【００１０】
　また、本考案のトレーディングカードブックは、ミニブックを通常の写真集の大きさにまとめることができるので、本棚に並べた場合に本の上側に無駄な空間を形成させるようなことがなく、自宅の本棚の収納スペースや書店における本棚の収納スペースを有効に利用することができるという利点がある。
【００１１】
　本考案のトレーディングカードブックは、ミニブックをテーマ毎に整理された状態でまとめることができるので、複数のミニブックをテーマ毎にまとめて取り出したり、まとめたものを持ち運んだり、まとめたものを見たりすることができ、従って、ミニブックの本棚からの取り出しや、持ち運びや、閲覧が効率的かつ容易になるという利点がある。
【００１２】
　本考案のトレーディングカードブックは、ミニブックをテーマ毎に容易にまとめることができ、欠落しているミニブックを容易に知ることができるので、コレクター間におけるミニブックの交換や収集が容易且つ適切になるという利点がある。
【００１３】
　本考案のトレーディングカードブックは、ミニブックがテーマ毎に集められており、しかも表紙を開くと順序よく整理されたミニブックを視覚で直接的に認識することができるので、ミニブックをインデックス替わりに見て、必要なミニブックを容易に取り出することができるという利点がある。
【考案を実施するための最良の形態】
【００１４】
　図１は本考案の一実施の形態に係るトレーディングカードブックの斜視図、図２は本考案の一実施の形態に係るトレーディングカードブックの斜視図である。これらの図において、１０はトレーディングカードブックであり、トレーディングカードブック１０は、ケースブック１２と、ケースブック１２内に収納された複数のミニブック１４とからなる。
【００１５】
　図３は本考案の一実施の形態に係るトレーディングカードブックのケースブックの斜視図であり、ケースブック１２は、同図に示すように、収納枠板１６と、収納枠板１６を挟んで対向する一対の表紙板１８，１８と、一対の表紙板１８，１８の縁部を連結する背部２０とからなる。
【００１６】
　収納枠板１６の一方の面には一対の表紙板１８，１８のいずれか一方が積層固着され、収納枠体１６の他方の面側には収納凹部２２が形成され、収納凹部２２にミニブック１４が嵌合収納される。
【００１７】
　図４は本考案の一実施の形態に係るトレーディングカードブックのミニブックの説明図であり、同図に示すように、ミニブック１４の一方の表紙２４にはミニブック１４の内容を示す絵２６が表わされ、ミニブック１４の他方の表紙２８には部分絵３０が表わされている。
【００１８】
　図５は本考案の一実施の形態に係るトレーディングカードブックの平面図であり、本考案に係るトレーディングカードブック１０は、通常は、収納凹部２２にミニブック１４を同図に示すように嵌合収納しておき、表紙１８を開けた時に、ミニブック１４の表紙がインデックスとなるようにしてある。
【００１９】
　なお、トレーディングカードブック１０の所有者である収集者がミニブック１４をその収納凹部２２で裏返し、ミニブック１４の他方の表紙２８を出すと、他方の表紙２８の部分絵３０によって、例えば、図６、図７に示すような全体絵３２が形成され、収集者に対して楽しさや満足感を与える。
【産業上の利用可能性】
【００２０】
　万引きの心配から、レジカウンターの近くの狭いスペースで、他の小物商品と置き場の取り合いをしながら販売していた、販売し難いミニブックの販売促進に利用できる。
【図面の簡単な説明】
【００２１】
【図１】本考案の一実施の形態に係るトレーディングカードブック（嵌合収納前）の斜視図である。
【図２】本考案の一実施の形態に係るトレーディングカードブック（嵌合収納後）の斜視図である。
【図３】本考案の一実施の形態に係るトレーディングカードブックのケースブックの斜視図である。
【図４】本考案の一実施の形態に係るトレーディングカードブックのミニブックの説明図である。
【図５】本考案の一実施の形態に係るトレーディングカードブック（ミニブックが表側）の平面図である。
【図６】本考案の一実施の形態に係るトレーディングカードブック（ミニブックが裏側）の斜視図である。
【図７】本考案の一実施の形態に係るトレーディングカードブック（ミニブックが裏側）の平面図である。
【符号の説明】
【００２２】
１０　　トレーディングカードブック
１２　　ケースブック
１４　　ミニブック
１６　　収納枠板
１８　　表紙板
２０　　背部
２２　　収納凹部
２４　　一方の表紙
２６　　絵
２８　　他方の表紙
３０　　部分絵
３２　　全体絵
【図１】
0003099862.tif 000003
【図２】
0003099862.tif 000004
【図３】
0003099862.tif 000005
【図４】
0003099862.tif 000006
【図５】
0003099862.tif 000007
【図６】
0003099862.tif 000008
【図７】
0003099862.tif 000009